(57)【特許請求の範囲】
【請求項１】
クレープが形成された複数枚の紙シートが重ね合わされてコンタクトエンボスによってプライ接合された家庭用薄葉紙であって、
前記コンタクトエンボスは、ＣＤ方向に平行で長さの異なる二つのＣＤ方向辺と各ＣＤ方向辺の両端を結ぶ二つのＭＤ方向辺とを有する四角形の単位エンボスがＭＤ方向に沿って並ぶエンボス列をＣＤ方向に間隔を開けて一対二列有し、
その一方のエンボス列は、各単位エンボスにおける二つのＭＤ方向辺のうち対となる他方のエンボス列に対して遠い側のＭＤ方向辺がＣＤ方向に対して５５°以上８５°以下の角度とされ、前記他方のエンボス列は、各単位エンボスにおける二つのＭＤ方向辺のうち対となる前記一方のエンボス列に対して遠い側のＭＤ方向辺がＣＤ方向に対して９５°以上１２５°以下の角度とされ、
両エンボス列は、各単位エンボスにおける二つのＭＤ方向辺のうち対となるエンボス列に対して近い側のＭＤ方向辺がＭＤ方向に対して±１°未満の角度とされている、
ことを特徴とする家庭用薄葉紙。
【請求項２】
各エンボス列において、ＭＤ方向で隣に位置する一つ又は二つの単位エンボスが、対となるエンボス列に対して遠い側のＭＤ方向辺を、同一の直線上に位置するようにして配されている、請求項１記載の家庭用薄葉紙。
【請求項３】
クレープが形成された複数枚の紙シートが重ね合わされてコンタクトエンボスによってプライ接合された家庭用薄葉紙の製造方法であって、
周面に複数の凸部を有する凸エンボスロールを回転させつつ、搬送される複数の連続する紙シートが積層された積層連続シートに押接して、前記積層連続シートに対して前記複数の凸部で形成される凸エンボスパターンに対応するパターンのコンタクトエンボスを形成することで、前記複数枚の連続する紙シートを積層した状態で接合するプライ接合工程を有し、
その凸エンボスロールとして、周面に、回転軸方向に平行で長さの異なる二つの軸方向辺と各軸方向辺の両端を結ぶ二つの回転方向辺とを有する四角形の単位凸エンボスが回転方向に沿って並ぶ凸エンボス列を回転軸方向に間隔を開けて一対二列有し、その一方の凸エンボス列における各単位凸エンボスの他方の凸エンボス列に対して遠い側の回転方向辺が回転軸方向に対して５５°以上８５°以下の角度とされ、前記他方の凸エンボス列における各単位凸エンボスの前記一方の凸エンボス列に対して遠い側の回転方向辺が回転軸方向に対して９５°以上１２５°以下の角度とされ、かつ、両凸エンボス列における各単位エンボスが、対となる凸エンボス列に対して近い側の回転方向辺が回転方向に対して±１°未満の角度とされているものを用い、
その凸エンボスロールを、長さの異なる二つの軸方向辺のうち長さの短い軸方向辺が先に積層連続シートの紙面に接する方向で回転させつつ、コンタクトエンボスを付与する、
ことを特徴とする家庭用薄葉紙の製造方法。
【請求項４】
前記凸エンボスロールとして、各凸エンボス列において、回転方向で隣に位置する一つ又は二つの単位凸エンボスが、対となる凸エンボス列に対して遠い側の回転方向辺を、同一の直線上に位置するようにして配されているものを用いる、請求項３記載の家庭用薄葉紙の製造方法。
【発明の詳細な説明】
【技術分野】
【０００１】
本発明は、ティシュペーパーやトイレットペーパー等の家庭用薄葉紙及びその製造方法に関し、特に、複数枚の紙シートが積層された状態でエンボスによりプライ接合された複数プライの家庭用薄葉紙及びその家庭用薄葉紙の製造方法に関する。
【背景技術】
【０００２】
複数プライの家庭用薄葉紙では、プライ剥離を防止するためにエンボスが付与されているものがある。このエンボスは、エッジエンボス、ナーリング、コンタクトエンボスなどとも呼ばれ（本発明及び本明細書では「コンタクトエンボス」という）、家庭用薄葉紙の原紙となる紙シートを複数枚積層した状態で、周面に多数の凸部が形成された凸エンボスロールと受けロールの間を通し、前記家庭用薄葉紙の両側縁部に対応する部分に前記多数の凸部によって形成される凸エンボスパターンに対応するパターンのエンボスを付与することで形成される。
【０００３】
従来、このコンタクトエンボスのパターンは、例えば、綾目ローレット加工の凸エンボスロールにより付与される、図８（Ａ）に示すような、菱形の単位エンボス２００がＭＤ方向及びこれに直行するＣＤ方向に各頂点２００Ｅ，２００Ｅが位置するようにして格子状に並ぶアヤメ（綾目）パターンのコンタクトエンボス６００がある。
【０００４】
しかし、図８（Ｂ）に図８（Ａ）の一点斜線で囲まれる部分を付与する凸エンボスロールの一部拡大図を示すように、このようなパターンは、凸エンボスロールを回転させてエンボス付与の際に、前記単位エンボス２００の形状に対応する各凸部２０１が原紙の紙面に対して頂点２０１Ｅから接するようにして付与されるため、付与の際に一点に力が加わって、その一点に穴あきが発生しやすく、さらに、その菱形の各辺２０１Ｘに沿って原紙が伸ばされて（図中伸ばされる方向を符号Ｚで示す）、その一点からの裂けや皺も発生しやすいという問題がある。また、菱形のエンボスを付与する綾目ローレット加工の凸エンボスロールは、凸部間の溝２０２に紙粉が詰まりやすく、その詰まりによって紙シート同士が圧着されない部分が形成されるおそれもある。そして、これらの問題は、特に、製造時の加工速度を高めると顕著となる。
【先行技術文献】
【特許文献】
【０００５】
【特許文献１】特許第４４５０４２１号
【特許文献２】特許第５３３１５３０号
【特許文献３】特許第５３３１５０３号
【特許文献４】特許第５１７５６２５号
【特許文献５】特許第５００５０８５号
【発明の概要】
【発明が解決しようとする課題】
【０００６】
そこで、本発明の主たる課題は、このようなエンボス付与時における皺の発生が防止され、加工速度を高めることができ、しかもコンタクトエンボス部分に皺がなく見栄えのよい家庭用薄葉紙、さらに、そのような家庭用薄葉紙の製造方法を提供することにある。
【課題を解決するための手段】
【０００７】
上記課題を解決した本発明は次記のとおりである。
【０００８】
〔請求項１記載の発明〕
クレープが形成された複数枚の紙シートが重ね合わされてコンタクトエンボスによってプライ接合された家庭用薄葉紙であって、
前記コンタクトエンボスは、ＣＤ方向に平行で長さの異なる二つのＣＤ方向辺と各ＣＤ方向辺の両端を結ぶ二つのＭＤ方向辺とを有する四角形の単位エンボスがＭＤ方向に沿って並ぶエンボス列をＣＤ方向に間隔を開けて一対二列有し、
その一方のエンボス列は、各単位エンボスにおける二つのＭＤ方向辺のうち対となる他方のエンボス列に対して遠い側のＭＤ方向辺がＣＤ方向に対して５５°以上８５°以下の角度とされ、前記他方のエンボス列は、各単位エンボスにおける二つのＭＤ方向辺のうち対となる前記一方のエンボス列に対して遠い側のＭＤ方向辺がＣＤ方向に対して９５°以上１２５°以下の角度とされ、
両エンボス列は、各単位エンボスにおける二つのＭＤ方向辺のうち対となるエンボス列に対して近い側のＭＤ方向辺がＭＤ方向に対して±１°未満の角度とされている、
ことを特徴とする家庭用薄葉紙。
【０００９】
〔請求項２記載の発明〕
各エンボス列において、ＭＤ方向で隣に位置する一つ又は二つの単位エンボスが、対となるエンボス列に対して遠い側のＭＤ方向辺を、同一の直線上に位置するようにして配されている、請求項１記載の家庭用薄葉紙。
【００１０】
〔請求項３記載の発明〕
クレープが形成された複数枚の紙シートが重ね合わされてコンタクトエンボスによってプライ接合された家庭用薄葉紙の製造方法であって、
周面に複数の凸部を有する凸エンボスロールを回転させつつ、搬送される複数の連続する紙シートが積層された積層連続シートに押接して、前記積層連続シートに対して前記複数の凸部で形成される凸エンボスパターンに対応するパターンのコンタクトエンボスを形成することで、前記複数枚の連続する紙シートを積層した状態で接合するプライ接合工程を有し、
その凸エンボスロールとして、周面に、回転軸方向に平行で長さの異なる二つの軸方向辺と各軸方向辺の両端を結ぶ二つの回転方向辺とを有する四角形の単位凸エンボスが回転方向に沿って並ぶ凸エンボス列を回転軸方向に間隔を開けて一対二列有し、その一方の凸エンボス列における各単位凸エンボスの他方の凸エンボス列に対して遠い側の回転方向辺が回転軸方向に対して５５°以上８５°以下の角度とされ、前記他方の凸エンボス列における各単位凸エンボスの前記一方の凸エンボス列に対して遠い側の回転方向辺が回転軸方向に対して９５°以上１２５°以下の角度とされ、かつ、両凸エンボス列における各単位エンボスが、対となる凸エンボス列に対して近い側の回転方向辺が回転方向に対して±１°未満の角度とされているものを用い、
その凸エンボスロールを、長さの異なる二つの軸方向辺のうち長さの短い軸方向辺が先に積層連続シートの紙面に接する方向で回転させつつ、コンタクトエンボスを付与する、
ことを特徴とする家庭用薄葉紙の製造方法。
【００１１】
〔請求項４記載の発明〕
前記凸エンボスロールとして、各凸エンボス列において、回転方向で隣に位置する一つ又は二つの単位凸エンボスが、対となる凸エンボス列に対して遠い側の回転方向辺を、同一の直線上に位置するようにして配されているものを用いる、請求項３記載の家庭用薄葉紙の製造方法。
【発明の効果】
【００１２】
以上の本発明によれば、エンボス付与時における皺の発生が防止され、加工速度を高めることができ、しかもコンタクトエンボス部分に皺がなく見栄えのよい家庭用薄葉紙、さらに、そのような家庭用薄葉紙の製造方法が提供される。
【図面の簡単な説明】
【００１３】
【図１】本発明に係るコンタクトエンボスの付与態様を説明するための概略図である。
【図２】本発明に係るコンタクトエンボスの付与態様を説明するための他の概略図である。
【図３】本発明に係る凸エンボスロールを説明するための図である。
【図４】本発明に係る凸エンボスロールの凸エンボスパターンを説明するための図である。
【図５】本発明に係る凸エンボスロールの単位凸エンボスを説明するための図である。
【図６】本発明に係る凸エンボスロールの他の凸エンボスパターンを説明するための図である。
【図７】本発明に係るコンタクトエンボスが付与された家庭用薄葉紙の平面図である。
【図８】従来の凸エンボスロールの凸エンボスパターンの例を説明するための図である。
【図９】比較例１及び２の凸エンボスロールの凸エンボスパターンを説明するための図である。
【図１０】プライ剥離防止性の試験方法を説明するための図である。
【発明を実施するための形態】
【００１４】
本発明の実施の形態を図１〜７を参照しながら詳述する。まず、家庭用薄葉紙の製造方法について説明し、次いで、その家庭用薄葉紙について説明する。
【００１５】
本実施形態に係る家庭用薄葉紙の製造方法は、図１及び図２に示すように、周面にコンタクトエンボスに対応する所定のパターンで配された複数の凸部を有する凸エンボスロール１０と受けロール２０とを回転させつつ、それらのロール１０，２０の間に、搬送される複数の連続する紙シート１，１が積層された積層連続シート２を挟み通して、前記凸エンボスロール１０の周面を積層連続シート２における家庭用薄葉紙の側部相当部２Ａに押接させ、前記積層連続シート２に対して前記複数の凸部で形成される凸エンボスパターンに対応するパターンのコンタクトエンボスを形成することで、前記複数枚の連続する紙シート１，１を積層した状態で接合するプライ接合工程を有する。
【００１６】
図１に示す例は、複数の原反ロール１Ａ，１Ａから単層の連続する紙シート１，１を繰り出し、各紙シート１，１を重ねて積層状態として、その積層状態の積層連続シート２を再度巻き取って二次原反ロール１Ｂを製造するプライ設備内で、プライ接合工程を行なう形態を示している。但し、プライ接合工程は、必ずしもこのようなプライ設備内で行なう必要はなく、製造する家庭用薄葉紙の種類、例えば、ティシュペーパーであるか、トイレットペーパーであるか等に応じて、適宜の製造設備・製造工程内で行なうことができる。すなわち、家庭用薄葉紙がティシュペーパーである場合には、その製造方法は、所謂マルチスタンド式インターフォルダを用いる形態と、ロータリー式インターフォルダを用いる形態とに大別され、マルチスタンド式インターフォルダを用いる製造方法では、プライ接合工程は、上記のプライ設備内で行なわれるのが一般的であり、ロータリー式インターフォルダを用いる製造方法では、プライ接合工程は、そのロータリー式インターフォルダ内で行なうが一般的である。また、家庭用薄葉紙が、トイレットペーパーである場合には、プライ接合工程は、製品となるトイレットロールと同径で幅がトイレットロールの複数倍幅であるログと称される中間製品を製造するログ形成工程でプライ接合が行なわれるのが一般的である。本発明に係るプライ接合工程は、家庭用薄葉紙の種類に応じた製造工程・製造設備内の一般的箇所において行なうことができる。
【００１７】
他方、本実施形態に係る家庭用薄葉紙の製造方法においては、図３〜図６に示すように上記プライ接合に用いる凸エンボスロール１０が特徴的なものとなっている。すなわち、この凸エンボスロール１０は、回転方向に沿って単位凸エンボスが並んで形成される凸エンボス列１２，１３を、回転軸方向に間隔を開けて一対二列有し、その単位凸エンボス１１ａ，１１ｂが、回転軸方向に平行で長さの異なる二つの軸方向辺Ｅ１，Ｅ２と各軸方向辺の両端を結ぶ二つの回転方向辺Ｅ３（Ｅ３’）、Ｅ４、とを有する四角形となっている。ここで、回転方向とは、凸エンボスロール１０の周面を正面から見た際に凸エンボスロール１０が回転する方向であり、周面移動方向である。
【００１８】
さらに、本実施形態の凸エンボスロール１０では、特に前記単位凸エンボス１１ａ，１１ｂの二つの軸方向辺Ｅ１，Ｅ２が、凸エンボスロール１０の回転時に積層連続シート２の紙面に早く接する側の軸方向辺Ｅ１が積層連続シート２の紙面に遅く接する側の軸方向辺Ｅ２よりも短いものとなっている（以下、回転時に紙面に早く接する側の短い軸方向辺を軸方向短辺Ｅ１、紙面に遅く接する側の長い軸方向辺を軸方向長辺Ｅ２ともいう）。
【００１９】
本実施形態に係る凸エンボスロール１０は、上記構成とすることにより、付与時に積層連続シート２が破れがたく、また、各単位凸エンボス１１ａ，１１ｂの耐摩耗性に優れ、その加工速度を速めることが可能となる。すなわち、図８に示す従来例のように単位凸エンボスの形状のように菱形であったり、その他、四角形或いは三角形であってその頂点から紙面に接する形状であったり、円形であったりすると、単位凸エンボスが紙面に接し始めた際に、その接し始めの頂点や一点に力が加わるため、単位凸エンボスの摩耗が特にその頂点等において進行しやすく、紙面への安定的な接触が確保し難くなるとともに、その一点に過度の力が加わり積層連続シートに破れが生じやすくなる。対して、本実施形態の凸エンボスロール１０では、単位凸エンボス１１ａ，１１ｂにおける両軸方向辺Ｅ１，Ｅ２が、回転軸方向に平行となっているため、凸エンボスロール１０が回転して積層連続シート２に接する際には、各単位凸エンボス１１ａ，１１ｂが積層連続シート２の紙面に対して、辺Ｅ１で接触しはじめ辺Ｅ２で抜けていくようになり、紙面に対して一点で接触するということがなく、紙面への接触安定性が高く、単位凸エンボス１１，１１…が摩耗し難い。そして、これにより積層連続シート２の破れも生じがたい。このため、操業速度を速めることが可能となる。
【００２０】
さらに、従来から凸エンボスロールにおいては、単位凸エンボスの摩耗が、回転方向で紙面に早く接する側の部位（以下、先行側部位ともいう）よりも紙面に遅く接する側の部位（以下、遅行側部位ともいう）において早く進行し、この先行側部位と遅行側部位における摩耗差によってがたつきが発生することが知られる。遅行側部位の摩耗が進行しやすい原因は定かではないが、先行側部位がエンボス未付与の厚みのある部分を押圧するのに対して、遅行側部位は先行側部位において押された後に、積層連続シートに接するため、その際に凸エンボスロールが受けロール側へ若干近づいており、それによって受けロール側への圧がやや高まることが原因ではないかと推測される。そして、本実施形態に係る凸エンボスロール１０では、各単位凸エンボス１１ａ，１１ｂが、凸エンボスロール１０の回転時に積層連続シートの紙面に遅く接する側の軸方向長辺Ｅ２が、早く接する側の軸方向短辺Ｅ１よりも長いため遅行側部位が幅広となっており、先行側部位に比して遅行側部位の摩耗が形状上し難くなっている。このため、先行側部位と遅行側部位との摩耗差が発生しがたく、紙面への接触安定性が継続的になされ、積層連続シート２の破れも生じがたく、操業速度を速めることができる。
【００２１】
また、本実施形態に係る凸エンボスロール１０は、特に好適な形態として、一方の凸エンボス列１２の単位凸エンボス１１ａの軸方向辺Ｅ１、Ｅ２と、他方の凸エンボス列１３の単位凸エンボス１１ｂの軸方向辺Ｅ１，Ｅ２とが、回転方向において一致しておらず、一方の凸エンボス列１２の単位凸エンボス１１ａと他方の凸エンボス列１３の単位凸エンボス１１ｂとが回転方向において一部重なる部分を有している。換言すると、一方の凸エンボス列１２の単位凸エンボス１１ａの軸方向辺Ｅ１，Ｅ２の回転方向の位置が、他方の凸エンボス列１３の単位凸エンボス１１ｂの二つの軸方向辺Ｅ１，Ｅ２の間に位置するようになっている。また、逆に、他方の凸エンボス列１３の単位凸エンボス１１ｂの軸方向辺Ｅ１，Ｅ２の回転方向の位置が、一方の凸エンボス列１２の単位凸エンボス１１ａの二つの軸方向辺Ｅ１，Ｅ２の間に位置するようになっている。したがって、本実施形態の凸エンボスロール１０では、積層連続シート２の紙面に対して常に、各凸エンボス列１２，１３の何れかの単位凸エンボスが接する。このため、紙面に対してがたつくことなく安定的に接触することができる。さらに、その単位凸エンボス１１ａ，１１ｂの斜辺Ｅ３，Ｅ３’の何れかが、紙面に常に接するようになるため皺の発生がより効果的に防止される。
【００２２】
一方、本実施形態に係る凸エンボスロール１０は、上記構成に加え、さらに二つの凸エンボス列１２，１３のうちの一方の凸エンボス列１２における各単位凸エンボス１１ａ，１１ａ…が、他方の凸エンボス列１３に対して遠い側の回転方向辺Ｅ３（以下、一方列斜辺ともいう）が回転軸方向に対して５５°以上８５°以下の角度とされ、その他方の凸エンボス列１３における各単位凸エンボス１１ｂ，１１ｂ…の前記一方の凸エンボス列１２に対して遠い側の回転方向辺Ｅ３’（以下、他方列斜辺ともいう）が回転軸方向に対して９５°以上１２５°以下の角度とされている（図中、一方列斜辺と回転軸方向と間の角度として規定する位置を符号∠Ａ、他方列斜辺と回転軸方向と間の角度として規定する位置を符号∠Ｂで示す）。また、両凸エンボス列１２，１３における各単位エンボス１１ａ，１１ｂは、対となる凸エンボス列に対して近い側の回転方向辺Ｅ４（以下、近位置辺ともいう）が、回転方向に対して±１°未満の誤差程度の角度となっている。
【００２３】
本実施形態に係る凸エンボスロール１０は、このような構成であることにより、コンタクトエンボス付与時に、付与部分に皺が発生し難い。これについて説明すると、家庭用薄葉紙を構成することになる連続する紙シート１，１は、抄紙設備においてドクターブレードなどで掻き取られることによって、連続方向（ＭＤ方向）に山谷が連続するクレープが形成されているため、そのＭＤ方向に伸びやすく、前記連続方向に直行する方向（ＣＤ方向）には、伸びにくいという性質を有している。したがって、本実施形態の家庭用薄葉紙の製造方法に係るプライ接合工程により、凸エンボスロール１０を回転させつつ積層連続シート２に対して押接させると、単位凸エンボス１１ａ，１１ｂが先行側部位から遅行側部位へと接触する過程で、紙シート１が、ＭＤ方向に沿っている各回転方向辺Ｅ３（Ｅ３’），Ｅ４に沿って伸ばされる。そして、本実施形態の凸エンボスロール１０では、各列１２，１３の単位凸エンボス１１ａ，１１ｂの近位置辺Ｅ４が、ＭＤ方向にほぼ平行であるため、紙シート１をＣＤ方向へ伸ばすように作用せずに、ＭＤ方向のみに向かって伸ばすように作用する。このため、各エンボス列１２，１３の間においては、ＣＤ方向への伸び及び歪みが発生せず皺が発生しない。なお、近位置辺Ｅ４の角度が±１°を超えると、各列１２，１３の間においてＣＤ方向への歪みが発生して皺が発生するおそれが高まる。その一方で、一方列斜辺Ｅ３が回転軸方向に対して５５以下８５°の角度、他方列斜辺Ｅ３’が回転軸方向に対して９５°以上１２５°以下の角度とされていることから、紙シート１は、これらの斜辺によっては、ＭＤ方向のみならず、ＣＤ方向にも伸ばされる。そして、上記一方列斜辺Ｅ３と他方列斜辺Ｅ３’とは、両者が積層連続シート２の上流側から下流側に向かって遠ざかっていく位置関係で配されているため、紙シート１は、それらの斜辺Ｅ３，Ｅ３’に沿って各エンボス列１２，１３から離れるＣＤ方向に伸ばされる。そして上記の近位置辺Ｅ４がＣＤ方向に紙シート１を伸ばすように作用しないことと相まって、凸エンボスロール１０が回転して接触する際に、その接触部分、すなわちコンタクトエンボス付与位置から離れるＣＤ方向に紙シート１が伸ばされるため、皺が発生し難くなる。なお、ＣＤ方向に伸ばされることによって、紙シート１に若干の歪みが発生しても、例えば、その歪みは、裁断によって形成される家庭用薄葉紙の切り離し縁２ｅ、或いは、家庭用薄葉紙の広範な幅方向（ＣＤ方向）中央範囲となる中央部相当部２Ｂによって吸収されて解消される。
【００２４】
ここで、本実施形態に係る前記一方列斜辺Ｅ３及び他方列斜辺Ｅ３’においては、一方列斜辺Ｅ３における回転軸方向に対する角度が５５°未満、他方列斜辺Ｅ３’における回転軸方向に対する角度が１２５°超となると、紙シート１を元来伸びがたいＣＤ方向に伸ばす力が過度となり、紙シート１が破れるおそれが高まる。また、一方列斜辺Ｅ３における回転軸方向に対する角度が８５°超、他方列斜辺Ｅ３’における９５°未満となると、紙シート１をＣＤ方向側に伸ばす作用が充分ではなくなり、皺発生の防止性が発現し難くなる。特に、これら一方列斜辺Ｅ３及び他方列斜辺Ｅ３’における、より好ましい角度範囲は、一方列斜辺Ｅ３における回転軸方向に対する角度が６０以上８０°以下、他方列斜辺Ｅ３’における回転軸方向に対する角度が１００以上１２０°以下であり、特に好ましい角度範囲は、一方列斜辺Ｅ３における回転軸方向に対する角度が６０以上７５°以下、他方列斜辺Ｅ３’における回転軸方向に対する角度が１０５以上１２０°以下である。また、近位置辺Ｅ４の角度は、回転方向に対して０°であるのが特に好ましい。なお、一方列斜辺Ｅ３と他方列斜辺Ｅ３’とは、各々、回転方向に対して対称となる角度とするのが望ましい。
【００２５】
ここで、本実施形態に係る凸エンボスロール１０は、特に、図５に示す例では、各凸エンボス列１２，１３において回転方向に隣あう一つ又は二つの単位凸エンボスを一組として、その斜辺Ｅ３，Ｅ３’が、同一の直線上に位置するようにして配している。特に、この図５に示す形態は、各凸エンボス列１２，１３において回転方向に隣り合う単位凸エンボス１１ａ，１１ａ（１１ｂ，１１ｂ）の複数の一方列斜辺Ｅ３，Ｅ３（又は他方列斜辺Ｅ３’，Ｅ３’）によって、ＣＤ方向に紙が効率的に伸ばされるようになり、上記各回転方向辺Ｅ３，Ｅ３’による効果が顕著となり、より皺が発生し難い。
【００２６】
ここで、本実施形態に係る凸エンボスロール１０における単位凸エンボス１１ａ，１１ｂの大きさや間隔は、必ずしも限定されないが、特に、数値範囲を示せば、凸エンボス列１２，１３が配列される範囲（軸方向幅）Ｌ１は、２．５０〜８．５０ｍｍであり、各凸エンボス列１２，１３における単位凸エンボス１１ａ（１１ｂ）の間隔（ピッチ）Ｌ２は、０．２５〜１．５ｍｍであり、凸エンボス列間の間隔Ｌ３としては、０．２５〜３．０ｍｍである。また、各単位凸エンボス１２，１３における軸方向短辺Ｅ１の長さＬ４は０．３〜１．０ｍｍ、軸方向長辺Ｅ２の長さＬ５は、０．３６〜２．５ｍｍであり、軸方向短辺Ｅ１と軸方向長辺Ｅ２との間隔Ｌ６は、０．３〜３．１ｍｍである。これらの範囲であれば、上記効果が十分に発揮される。なお、単位凸エンボス１１ａ，１１ｂの高さは、特に限定されないが、０．４〜１．２ｍｍ程度である。これらの範囲で、家庭用薄葉紙の組成や物性に応じて適宜に設計できる。
【００２７】
次いで、本実施形態の家庭用薄葉紙について説明する。この家庭用薄葉紙１００は、例えば、図７に示すように、クレープが形成された複数枚の紙シート５０，５０が重ね合わされ、そのＣＤ方向側縁部５１においてＭＤ方向の一方縁から他方縁に延在するコンタクトエンボス６０によってプライ接合されたティシュペーパー等である。
【００２８】
そして、本実施形態の家庭用薄葉紙１００は、その特徴として、コンタクトエンボス６０が、ＣＤ方向に平行で長さの異なる二つのＣＤ方向辺と各ＣＤ方向辺の両端を結ぶ二つのＭＤ方向辺とを有する四角形の単位エンボスがＭＤ方向に沿って並ぶエンボス列をＣＤ方向に間隔を開けて一対二列有している。
【００２９】
また、その一方のエンボス列は、各単位エンボスにおける二つのＭＤ方向辺のうち対となる他方のエンボス列に対して遠い側のＭＤ方向辺がＣＤ方向に対して５５°以上８５°以下の角度とされ、前記他方のエンボス列は、各単位エンボスにおける二つのＭＤ方向辺のうち対となる前記一方のエンボス列に対して遠い側のＭＤ方向辺がＣＤ方向に対して９５°以上１２５°以下の角度とされている。
【００３０】
さらに、両エンボス列が、各単位エンボスにおける二つのＭＤ方向辺のうち対となるエンボス列に対して近い側のＭＤ方向辺がＭＤ方向に対して±１°未満の角度とされている。
【００３１】
この家庭用薄葉紙は、上記説明の家庭用薄葉紙の製造方法によって製造することができる。つまり、上記説明の凸エンボスロール１０の周面に形成された凸部のパターンが転写されたパターンのコンタクトエンボス６０を有している。したがって、コンタクトエンボスのパターンは、平面視において、図３〜図５に示す凸エンボスロールの周面における凸部の配列パターンと一致する。各部の対応関係は、凸エンボスロール１０の軸方向辺Ｅ１，Ｅ２がＣＤ方向辺、回転方向辺Ｅ３（Ｅ３’），Ｅ４がＭＤ方向辺に対応する。よって、単位凸エンボス１１ａ，１１ｂが単位エンボス、凸エンボス列１２，１３がエンボス列に対応する。
【００３２】
この家庭用薄葉紙１００は、上記家庭用薄葉紙の製造方法によって製造できることから、その製造方法上の多くの利点を有している。つまり、本実施形態に係るコンタクトエンボス６０のパターンを有する家庭用薄葉紙１００は、製造時に凸エンボスロール１０の単位凸エンボス１１ａ，１１ｂが摩耗がし難く、積層連続シート２の破れも生じがたく、操業速度を速めることが可能な家庭用薄葉紙１００である。そして、製造時に皺が発生しがたいため、意匠性にも優れるものである。
【００３３】
ここで、本実施形態に係る家庭用薄葉紙１００は、ティシュペーパー、トイレットペーパー等であり、その具体的な米坪としては、１プライ当たり１１．０〜２５．０ｇ／ｍ2、積層状態での紙厚が１００〜３５０μｍである。なお、ここでの米坪とは、ＪＩＳ Ｐ ８１２４（１９９８）の米坪測定方法によるものであり、紙厚は、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて異なる任意の五箇所を測定し、この五箇所の測定値の平均値をいう。
【実施例】
【００３４】
以下、さらに本発明に係る実施例１〜４に係る凸エンボスロール、比較例１及び２の凸エンボスロール、従来例の凸エンボスロールを用いて家庭用薄葉紙を製造し、プライ剥離の防止性、製造時における凸エンボスロールの耐摩耗性、積層連続シートの皺の発生、積層連続シートの避け・穴あきの発生について評価を行なった。特に、本実施例においては、プライ接合工程の際の操業速度を、従来例１で行なわれていた速度よりも１５０％速めた速度で行い、主に操業速度を高速過した際の評価となっている。結果は、下記の表１に示す。
【００３５】
用いた積層連続シートは、米坪が１０．７ｇ／ｍ2のティシュペーパー原紙である紙シートを２枚重ねにした２プライ構造のものを用いた。紙厚は２プライで１１０μｍである。
【００３６】
実施例１は、図４に示される凸部の配列パターンであり、特にその一方列斜辺が回転軸方向に対して７０°、他方列斜辺が回転軸方向に対して１１０°のものとした。
実施例２は、図４に示される凸部の配列パターンであり、特にその一方列斜辺が回転軸方向に対して６０°、他方列斜辺が回転軸方向に対して１２０°のものとした。
実施例３は、図３に示される凸部の配列パターンであり、特にその一方列斜辺が回転軸方向に対して７０°、他方列斜辺が回転軸方向に対して１１０°のものとした。
実施例４は、図３に示される凸部の配列パターンであり、特にその一方列斜辺が回転軸方向に対して６０°、他方列斜辺が回転軸方向に対して１２０°のものとした。
【００３７】
比較例１は、図９（Ｄ）に示す凸部の配列パターンであり、凸部Ｔの頂面の形状は、一辺１．１ｍｍの正方形であり、各辺はそれぞれ回転軸方向、回転方向に沿っている。
比較例２は、図９（Ｃ）に示す凸部Ｔの配列パターンであり、凸部列を５列有している。凸部の頂面の形状は、直径０．５ｍｍの真円である。
【００３８】
従来例１は、図８に示す凸部のパターンであり、菱形の各頂点が、回転軸方向、回転方向にそれぞれ向いているものである。その凸エンボスロールが、所謂綾目ローレット加工が施されたものである。
【００３９】
なお、皺の発生の評価は、プライ接合工程を経た積層連続シートを目視にて確認し、皺が殆ど発生していないものを◎、従来例よりも発生が減少しているものを○、従来と同等かそれ以下のものを△と評価した。
【００４０】
穴あき・避けの発生の評価は、プライ接合工程を経た積層連続シートを目視にて確認し、従来例よりも穴あき・避けが減少しているものを○、従来と同等かそれ以下のものを△と評価した。
【００４１】
凸エンボスロールの耐摩耗性については、約１８，０００，０００ｍの積層連続シートに対してコンタクトエンボスの付与をおこなった後、凸エンボスロールの摩耗の具合を目視にて確認し、摩耗の進行や偏摩耗の発生具合が従来例以下又は従来例と同等であったものを△、摩耗の進行や偏摩耗の発生具合が従来例よりもやや改善が看られるものを○、摩耗の進行や偏摩耗の発生具合よりも明らかに改善されているものを◎と評価することとした。
【００４２】
プライ剥離の防止性については、図１０に（１）正面視、（２）側面視を示したように、積層連続シートのコンタクトエンボスが付与された部分を含むようにして幅方向（ＣＤ方向）に２０ｍｍ、連続方向（ＭＤ方向）に１００ｍｍ裁断した試料を用意し、その試料を連続方向の一方端から３０ｍｍ剥離してその分離端２５ｍｍを引張り試験機の各チャックに固定してセットして、一方のチャックを１００ｍｍ／ｍｉｎの速度で、５０ｍｍ引っ張った際の、プライ剥離の強度を測定し、その測定値から評価した。評価は、この試験において４．５ｃＮ以上の測定値であれば、プライ剥離のおそれがほとんどないと判断できるため、測定値が４．５ｃＮ以上であるものを○と評価した。
【００４３】
【表１】
0006485862.tif 000002
【００４４】
表１に示す結果のとおり、プライ剥離の防止性については各例とも十分であったが、特に、製造時における凸エンボスロールの耐摩耗性、積層連続シートの皺の発生、積層連続シートの避け・穴あきの発生について顕著な改善が見られている。特に、本実施例は試験的に、操業速度（加工速度）を速めて試験を行なっており、本発明に係る凸エンボスロールを採用した家庭用薄葉紙の製造方法とすることで、加工速度を速めることが可能であることも知見された。
【００４５】
また、特に、図３に示す形態よりも、図４に示す形態のほうが、特に、皺の発生において良好な結果が得られた。つまり、各凸エンボス列において、回転方向に隣あう単位凸エンボスの各斜辺を、同一直線状に位置させるように配したほうが、皺の発生の防止性が高まる。
【００４６】
以上の各試験の結果からして、本発明に係るコンタクトエンボスのパターンとすることにより、プライ剥離の防止性、製造時における凸エンボスロールの耐摩耗性、積層連続シートの皺の発生の防止性、積層連続シートの避け・穴あきの防止性が改善され、特に操業速度を速めることができるといえる。
【符号の説明】
【００４７】
１０…凸エンボスロール、２０…受けロール、１…連続する紙シート、２…積層連続シート、２Ａ…積層連続シートにおける家庭用薄葉紙の側部相当部、２Ｂ…積層連続シートにおける家庭用薄葉紙の中央部相当部、１Ａ…原反ロール、１Ｂ…二次原反ロール、
１２，１３…凸エンボス列、Ｅ１，Ｅ２…回転軸方向辺、Ｅ３，Ｅ３’，Ｅ４…回転方向辺、Ｌ１…凸エンボス列の幅方向範囲、Ｌ２…凸エンボス列における単位凸エンボス間の間隔（ピッチ）、Ｌ３…凸エンボス列間の間隔、Ｌ４…軸方向短辺の長さ、Ｌ５…軸方向長辺の長さ、Ｌ６…軸方向短辺と軸方向長辺との間隔、Ｔ…比較例の凸部、５０…紙シート、５１…家庭用薄葉紙のＣＤ方向側縁部、６０…コンタクトエンボス、１００…家庭用薄葉紙、２００…従来の単位エンボス、２００Ｅ…従来の単位エンボスの頂点、２０１…従来の単位エンボスを付与する凸部、２０１Ｅ…従来の単位エンボスを付与する凸部の頂点、２０１Ｘ…従来の単位エンボスを付与する凸部の辺、２０２…従来の単位エンボスを付与する凸部間の溝、６００…従来のコンタクトエンボスの例。
【図１】
0006485862.tif 000003
【図２】
0006485862.tif 000004
【図３】
0006485862.tif 000005
【図４】
0006485862.tif 000006
【図５】
0006485862.tif 000007
【図６】
0006485862.tif 000008
【図７】
0006485862.tif 000009
【図８】
0006485862.tif 000010
【図９】
0006485862.tif 000011
【図１０】
0006485862.tif 000012